(57)【特許請求の範囲】
【請求項１】
配管における漏水の検査箇所に非防水型の無線ＩＣタグを貼り付けて、リーダライタによって該無線ＩＣタグを読み取り、前記リーダライタと前記無線ＩＣタグとの交信状態から検査情報を検出するようにした無線ＩＣタグを用いた配管漏水検査方法であって、
検査位置情報をコード化させたバーコードを配管系統図に貼り付けたバーコード付き配管図面を設け、
前記検査箇所に対応する前記バーコードと前記無線ＩＣタグとを前記リーダライタで読み取り、
前記バーコードの検査位置情報と、前記無線ＩＣタグの識別情報とを関連付けるようにしたことを特徴とする無線ＩＣタグを用いた配管漏水検査方法。
【請求項２】
配管における漏水の検査箇所に非防水型の無線ＩＣタグを貼り付けて、リーダライタによって該無線ＩＣタグを読み取り、前記リーダライタと前記無線ＩＣタグとの交信状態から検査情報を検出するようにした無線ＩＣタグを用いた配管漏水検査方法であって、
検査位置情報をコード化させたバーコードを配管系統図に貼り付けたバーコード付き配管図面を設け、
検査箇所に対応する前記バーコードの検査位置情報と、前記無線ＩＣタグの識別情報とを関連付けした情報を前記リーダライタに入力しておき、任意の検査箇所の前記バーコードを前記リーダライタで読み取ったときに、前記バーコードに対応する前記無線ＩＣタグが選択され、該選択された無線ＩＣタグのみを検査可能としたことを特徴とする無線ＩＣタグを用いた配管漏水検査方法。
【発明の詳細な説明】
【技術分野】
【０００１】
本発明は、無線ＩＣタグを用いた配管漏水検査方法に関する。
【背景技術】
【０００２】
従来、例えばビルやプラントなどの建物内の配管設備や、地下に埋設されている上下水道などの配管の漏水検査には、配管の検査箇所に無線ＩＣタグなどの検知センサを貼り付け、リーダライタなどの読取り器（検出器）を用いて検知センサから離れた位置で測定する方法がある（例えば、特許文献１参照）。このように非接触によって検知センサを検出器で検知する方法では、例えば配管の周囲に保温材が巻かれたような場合であっても、漏水検査を行なうことができる。
特許文献１は、検知センサを備えた無線ＩＣタグを配管に貼り付け、検知センサで得られた振動、伸び、管内圧力などの配管データ（検査情報）を無線ＩＣタグに記憶させておき、無線ＩＣタグと離れた場所からリーダライタ（検出器）を使用して前記データを読み取る。そして、得られたデータの情報から漏水の有無を判定する検査方法である。
【特許文献１】特開平１１−２８７８６６号公報
【発明の開示】
【発明が解決しようとする課題】
【０００３】
しかしながら、上記に示す従来の無線ＩＣタグを使用した漏水検査方法では、通常、無線ＩＣタグには検査位置情報が記録されていないうえ検査箇所が多くあるため、リーダライタによって無線ＩＣタグから読み取った検査情報がどの検査位置であったか分からなくなったり、データが入れ替わったりする恐れがあり、検査精度が低下するという問題があった。
また、リーダライタに検査情報と共に検査位置情報を手入力により記録しておく作業が行われているが、手間がかかるうえ、検査が効率よく行なえないといった欠点があった。そして、手入力作業であるため入力ミスにより検査位置情報と検査情報が不一致となる可能性があった。
【０００４】
本発明は、上述する問題点に鑑みてなされたもので、リーダライタにおいて無線ＩＣタグの情報と検査位置情報を簡単に且つ正確に関連付けることで、配管漏水検査の精度を向上させた無線ＩＣタグを用いた配管漏水検査方法を提供することを目的とする。
【課題を解決するための手段】
【０００５】
上記目的を達成するため、本発明に係る無線ＩＣタグを用いた配管漏水検査方法では、配管における漏水の検査箇所に非防水型の無線ＩＣタグを貼り付けて、リーダライタによって無線ＩＣタグを読み取り、リーダライタと無線ＩＣタグとの交信状態から検査情報を検出するようにした無線ＩＣタグを用いた配管漏水検査方法であって、検査位置情報をコード化させたバーコードを配管系統図に貼り付けたバーコード付き配管図面を設け、検査箇所に対応する前記バーコードと無線ＩＣタグとをリーダライタで読み取り、バーコードの検査位置情報と、無線ＩＣタグの識別情報とを関連付けるようにしたことを特徴としている。
本発明では、リーダライタでバーコード付き配管図面のバーコードを読み取ることで、同じくリーダライタによって読み取った無線ＩＣタグの識別情報に対して検査位置情報を簡単に且つ正確に関連付けることができる。このため、従来のように検査位置情報をリーダライタに手入力する必要がなくなり、効率よく検査作業を行うことができる。
【０００６】
また、本発明に係る無線ＩＣタグを用いた配管漏水検査方法では、配管における漏水の検査箇所に非防水型の無線ＩＣタグを貼り付けて、リーダライタによって無線ＩＣタグを読み取り、リーダライタと無線ＩＣタグとの交信状態から検査情報を検出するようにした無線ＩＣタグを用いた配管漏水検査方法であって、検査位置情報をコード化させたバーコードを配管系統図に貼り付けたバーコード付き配管図面を設け、検査箇所に対応するバーコードの検査位置情報と、無線ＩＣタグの識別情報とを関連付けした情報をリーダライタに入力しておき、任意の検査箇所のバーコードをリーダライタで読み取ったときに、バーコードに対応する無線ＩＣタグが選択され、選択された無線ＩＣタグのみを検査可能としたことを特徴としている。
本発明では、リーダライタでバーコードを読み取る簡単な作業で正確に検査位置情報と無線ＩＣタグの識別情報とを関連付けることができる。そして、漏水検査時に、バーコードの検査位置情報に対応して選択された無線ＩＣタグの検査情報のみをリーダライタで読み取って記録できる。つまり選択されていない無線ＩＣタグを読みとって検査することができないため、検査位置情報に対応した検査箇所の検査情報を確実に関連付けることができる。
【発明の効果】
【０００７】
本発明の無線ＩＣタグを用いた配管漏水検査方法によれば、リーダライタにおいて、無線ＩＣタグの識別情報に対して検査位置情報を簡単且つ正確に関連付けることができる。このため、従来のように検査位置情報をリーダライタに別途入力する手間を省くことができ、効率よく検査作業を行うことができる。したがって、検査データの間違いを減らすことができるため、検査精度を向上させる効果を奏する。
また、本発明の無線ＩＣタグを用いた配管漏水検査方法によれば、漏水検査時に、バーコードの検査位置情報に対応して選択された無線ＩＣタグの検査情報のみをリーダライタで読み取って記録できる。つまり選択されていない無線ＩＣタグを読みとって検査することができないため、検査位置情報に対応した検査箇所の検査情報を確実に関連付けることができる。
【発明を実施するための最良の形態】
【０００８】
以下、本発明の第一の実施の形態による無線ＩＣタグを用いた配管漏水検査方法について、図１乃至図３に基づいて説明する。
図１は本発明の第一の実施の形態による配管漏水検査方法を示す概要図、図２は無線ＩＣタグの平面図、図３は配管に貼り付けられた無線ＩＣタグとリーダライタとの交信状態を示す説明図である。
【０００９】
図１に示すように、本第一の実施の形態による無線ＩＣタグを用いた配管漏水検査方法では、例えばビルやプラントなどの建物の配管設備において、配管１の漏水を検査するためのものである。
配管漏水検査方法は、配管系統図の漏水の検査箇所Ａ（Ａ１、Ａ２、Ａ３）にバーコード１０（１１、１２、１３）を貼り付けたバーコード付き配管図面３を作成し、配管１の検査箇所Ａに無線ＩＣタグ２０（２１、２２、２３）を貼り付け、バーコード１０の検査位置情報Ｂと無線ＩＣタグ２０のタグ情報Ｔ（識別情報）とを読み取り可能なリーダライタ４を設け、コンピュータ５を使用してリーダライタ４と相互にデータ通信して蓄積された組合せ情報Ｒ（詳細は後述）を管理するように構成されている。そして、配管１と無線ＩＣタグ２０は、ともに保温材２に覆われている。
【００１０】
以下、配管漏水検査方法についてさらに具体的に説明する。
先ず、図１に示すように、バーコード付き配管図面３は、漏水検査前に予め準備しておき、配管系統図上の検査箇所Ａに１次元の検査位置情報Ｂをコード化したバーコード１０を貼り付けるものであり、検査箇所毎に１つのバーコード１０が貼り付けられている。このバーコード付き配管図面３は、バーコード１０をスキャナなどでコンピュータ５に取り込み、コンピュータ５内で作成してデジタルデータ化させた図面であってもよい。なお、バーコード１０は、一次元のみならず二次元であってもよい。
【００１１】
図２に示すように、無線ＩＣタグ２０は、例えば無線によりデータを送受信することが可能な非接触方式のＩＣカードなどが採用され、電池を搭載しないカード形状をなし、コイル状に形成されたアンテナ２４と、アンテナ２４の端部２４ａに接続されたＩＣチップ２５とからなる。
ＩＣチップ２５は、ＣＰＵ（中央演算処理装置）やデータの読み書きを可能とするメモリなどから構成され、アンテナ２４によって受信した外部からの信号を処理し、その結果をリーダライタ４に送信させる相互通信可能な集積回路である。各々の無線ＩＣタグ２０は、夫々にＩＤ（識別情報）が記録されているため、リーダライタ４によって信号を検出する際にこのＩＤを判別することができる。
【００１２】
そして、無線ＩＣタグ２０は、内部のＩＣチップ２５などが漏水により水に浸かるとリーダライタ４との交信機能が失われる又は低下するため、その内部に水が浸入するように非防水型の構造のものを採用する。例えば、紙や剥離紙などからなる図示しない保護層によって覆っておき、この保護層に開口部を設けるなどして水が内部に浸入し得る構造である。
【００１３】
図１に示すリーダライタ４は、持ち運びが容易な小型で軽量なハンディタイプのものを採用する。
また、コンピュータ５は、リーダライタ４と相互にデータを交信することができ、リーダライタ４によって蓄積された情報を取り込んでリスト化して整理したり、検査結果を出力処理することができる。
【００１４】
次に、リーダライタ４と無線ＩＣタグ２０との作用について図面に基づいて説明する。
図３に示すように、リーダライタ４を所定の距離をもって無線ＩＣタグ２０に近づけると、電池を搭載していない無線ＩＣタグ２０は、リーダライタ４から信号を受信することにより、アンテナ２４に磁界が形成されて電流が得られ、ＩＣチップ２５が作動する。そして、この受信した信号はＩＣチップ２５に読み込み処理され、次いで信号はアンテナ２４を介してリーダライタ４に送信される。
このようにして、リーダライタ４は無線ＩＣタグ２０の識別情報及び交信情報（検査情報）を検出することができる。
【００１５】
図３に示すように、配管１に漏水が無く無線ＩＣタグ２０が浸水していないとき、リーダライタ４は、無線ＩＣタグ２０の信号を受信し、無線ＩＣタグ２０の交信状態の正常を検出する。これにより、この配管１の検査箇所において漏水が無いものと判断される。
また、配管１が漏水して無線ＩＣタグ２０が浸水すると、アンテナ２４又はＩＣチップ２５が短絡するため、無線ＩＣタグ２０の交信機能が失われる又は低下することが感知される。そうすると、リーダライタ４と無線ＩＣタグ２０との交信が途絶えることになり、リーダライタ４は無線ＩＣタグ２０の信号を検出できない。これにより、無線ＩＣタグ２０の出力低下を検査することにより漏水しているものと判断される。
なお、配管１のある検査箇所に漏水が確認された場合には、その検査箇所のみを補修すればよい。  
【００１６】
次に、配管１の漏水検査方法の手順について図面に基づいて説明する。
先ず、図１に示すように、配管１の施工後に、配管１の検査箇所Ａに無線ＩＣタグ２０を貼り付ける。そして、任意の検査箇所Ａに対応したバーコード付き配管図面３上のバーコード１０と無線ＩＣタグ２０とをリーダライタ４で読み取る。このとき、バーコード１０から読み取った検査位置情報Ｂと、無線ＩＣタグ２０から読み取ったタグ情報Ｔとの組合せ情報Ｒ（Ｂ，Ｔ）が関連付けされてリーダライタ４に記録される。同様に他のバーコード１０と無線ＩＣタグ２０とを交互に読み取ることで検査箇所Ａ毎の組合せ情報Ｒが関連付けされる（関連付け作業）。ここで、「組合せ情報Ｒ」は、本発明の「関連付けされた情報」に相当する。
そして、この関連付け作業の終了後、リーダライタ４に蓄積された組合せ情報Ｒをコンピュータ５に転送しておく。
なお、配管１と無線ＩＣタグ２０との周囲に保温材２を取り付ける保温工事は、関連付け作業前或いは作業後に施工される。
【００１７】
ここまでが、漏水検査前の準備段階の手順であり、次に、配管漏水検査を行う際の検査手順について説明する。
はじめに、コンピュータ５に保存されている組合せ情報Ｒを、漏水検査に使用するリーダライタ４に転送する。なお、リーダライタ４に予め組合せ情報Ｒが入力されている場合には、この作業を省略すればよい。
【００１８】
そして、配管１の漏水検査現場において、任意の検査箇所Ａのバーコード１０をバーコード付き配管図面３からリーダライタ４で読み取ると、このバーコード１０の検査位置情報Ｂに関連付けされている無線ＩＣタグ２０が選択される。例えば、配管Ａ２を検査するとき、バーコード１２をリーダライタ４で読み取ると無線ＩＣタグ２２が選択されることになる。そして、この選択された無線ＩＣタグ２０のタグ情報Ｔのみをリーダライタ４で読み取ることができ、検査箇所Ａにリーダライタ４を近づけて無線ＩＣタグ２０と交信できる。つまり選択されていない無線ＩＣタグ２０を読みとって検査することができないため、検査位置情報Ｂに対応した検査箇所のタグ情報Ｔを確実に関連付けることができる。
上述（図３）したように配管１に漏水があった場合には、無線ＩＣタグ２０が浸水して交信機能が失われ、交信異常の情報すなわち漏水有りという検査情報が組合せ情報Ｒと共にリーダライタ４に記録される。一方、検査箇所に漏水がない場合は、無線ＩＣタグ２０の交信機能が正常であり、漏水無しという検査情報がリーダライタ４に記録される。そしてリーダライタ４に蓄積された組合せ情報Ｒを、コンピュータ５に転送し、検査結果を整理または出力処理することができる。
【００１９】
上述のように本第一の実施の形態による無線ＩＣタグを用いた配管漏水検査方法は、バーコード１０をリーダライタ４で読み込むだけの作業でバーコード付き配管図面３上の検査箇所と無線ＩＣタグ２０のタグ情報Ｔとを関連付けが簡単且つ正確に行なうことができる。このため、従来のように検査位置情報Ｂをリーダライタ４に別途入力する手間を省くことができ、効率よく検査作業を行うことができる。したがって、検査データの間違いを減らすことができるため、検査精度を向上させる効果を奏する。
また、漏水検査時に、バーコード１０の検査位置情報Ｂに対応して選択された無線ＩＣタグ２０の検査情報のみをリーダライタ４で読み取って記録できる。つまり選択されていない無線ＩＣタグ２０を読みとって検査することができないため、検査位置情報Ｂに対応した検査箇所の検査情報を確実に関連付けることができる。
【００２０】
次に、本発明による第二の実施の形態による無線ＩＣタグを用いた配管漏水検査方法について第一の実施の形態の図１を用いて説明する。
図１に示す第一の実施の形態において漏水検査前にリーダライタ４に組合せ情報Ｒを予め入力させ特定の無線ＩＣタグ２０のみを検知できるようにしているが、このような方法に代えて第二の実施の形態では、検査時に組合せ情報Ｒが予め記録されていないリーダライタ４を使用し、検査箇所Ａに対応するバーコード１０と無線ＩＣタグ２０とをリーダライタ４で読み取ることで双方の情報を関連付けさせ、リーダライタ４に表示、記録させておくものである。
第二の実施の形態では、第一の実施の形態と同様にバーコード１０をリーダライタ４で読み込むだけの作業でバーコード付き配管図面３上の検査箇所と無線ＩＣタグ２０のタグ情報Ｔとを関連付けが簡単且つ正確に行なうことができる。検査箇所に漏水があれば、漏水箇所を特定できる。そして、検査位置情報Ｂをリーダライタ４に手作業等で入力する手間を省くことができ、簡便に効率よく検査作業を行うことができる。したがって、本第二の実施の形態でも検査データの間違いを減らすことができるため、検査精度を向上させる効果を奏する。
【００２１】
以上、本発明による無線ＩＣタグを用いた配管漏水検査方法の第一及び第二の実施の形態について説明したが、本発明は上記の第一及び第二の実施の形態に限定されるものではなく、その趣旨を逸脱しない範囲で適宜変更可能である。
例えば、本第一及び第二の実施の形態ではリーダライタ４と相互に通信可能な無線ＩＣタグ２０としているが、リーダライタ４による読み取り専用の無線ＩＣタグであっても構わない。要は、無線ＩＣタグの浸水によりリーダライタ４で無線ＩＣタグの読み取りができなければよいのである。
さらに、本第一及び第二の実施の形態では配管検査を建物内の配管１に適用しているが、この用途に限定されることはなく、他に、例えば地下に埋設される配管などであってもかまわない。
【図面の簡単な説明】
【００２２】
【図１】本発明の第一の実施の形態による配管漏水検査方法を示す概要図である。
【図２】無線ＩＣタグの平面図である。
【図３】配管に貼り付けられた無線ＩＣタグとリーダライタとの交信状態を示す説明図である。
【符号の説明】
【００２３】
１  配管
３  バーコード付き配管図面
４  リーダライタ
５  コンピュータ
１０  バーコード
２０  無線ＩＣタグ
Ｂ  検査位置情報
Ｔ  タグ情報（識別情報）
Ｒ  組合せ情報
【図１】
0004538811.tif 000002
【図２】
0004538811.tif 000003
【図３】
0004538811.tif 000004